(57)【要約】【課題】複数枚の撮影合成画像全体としての完成度が高く、複数枚の撮影合成画像の組み合わせを選択する際の操作性に優れ、かつ、写真シールの出力イメージがつき易い写真シール機を提供することができるようにする。【解決手段】背景セット選択画面において、「１色セット」の分類に属する複数の出力イメージ画像２４１ａ乃至２４１ｍが、利用者による選択の候補として円形状の軌道に沿って整列配置、最前面のものの大きさが最も大きく、背面のものの大きさが小さくされるとともに、複数の出力イメージ画像２４１ａ乃至２４１ｍそれぞれに対応する複数の選択用画像２４２ａ乃至２４２ｍの一覧が配置されており、所定の選択用画像２４２が選択されたとき、選択された選択用画像２４２に対応する出力イメージ画像２４１が最前面に移動される。本発明は、例えば、ゲームセンタ等に設置される写真シール作成装置に適用できる。【選択図】図１２
2011234215.tif 000002
【特許請求の範囲】
【請求項１】
利用者を被写体として撮影し、得られた撮影画像に対して前記利用者に編集入力を行わせ、前記編集入力により編集された前記撮影画像を所定のシール紙に印刷して写真シールを作成し、成果物として前記写真シールを前記利用者に提供する写真シール作成装置であって、
前記利用者を被写体として撮影する撮影手段と、
撮影により得られた前記撮影画像に合成させる、所定のテーマで統一された複数の背景画像のセットを前記利用者に選択させるための背景セット選択画面を表示制御する表示制御手段と、
前記表示制御手段により表示制御された前記背景セット選択画面を表示する表示手段と、
表示された前記背景セット選択画面に対する前記利用者の選択入力を受け付ける入力受け付け手段と
を備え、
前記背景セット選択画面では、前記セットの複数の背景画像それぞれと、前記利用者を想定したモデルによる撮影画像とを合成した複数の撮影合成画像を、前記写真シールをイメージした出力イメージ画像にして、所定の分類に属する複数の前記テーマに対応する複数の前記出力イメージ画像が、前記利用者による選択の候補として所定の図形の形状の軌道に沿って整列配置され、最前面のものの大きさが最も大きく、背面のものの大きさが小さくされるとともに、複数の前記出力イメージ画像それぞれに対応する、前記出力イメージ画像を選択するための複数の選択用画像の一覧が配置されており、
前記表示制御手段は、前記入力受け付け手段により所定の前記選択用画像が選択されたとき、前記軌道に沿って整列配置された複数の前記出力イメージ画像のうち、選択された前記選択用画像に対応する前記出力イメージ画像を前記最前面に移動させる
写真シール作成装置。
【請求項２】
前記表示制御手段は、前記入力受け付け手段により所定の前記選択用画像が選択されたとき、前記軌道に沿って整列配置されている複数の前記出力イメージ画像が、その配列順序を維持したまま前記軌道に沿って移動させ、前記最前面まで移動させる
請求項１に記載の写真シール作成装置。
【請求項３】
前記選択用画像は、対応する前記出力イメージ画像の大きさを変えた画像を少なくとも含む
請求項１に記載の写真シール作成装置。
【請求項４】
前記背景セット選択画面は、前記テーマを大分類に分類する分類手段を備え、
前記入力受け付け手段により選択された前記大分類のテーマに属する複数の前記出力イメージ画像が前記軌道に沿って整列配置される
請求項１に記載の写真シール作成装置。
【請求項５】
前記背景セット選択画面は、前記出力イメージ画像を同サイズで一覧表示する一覧表示選択画面を表示させる一覧表示手段を備え、
表示された前記一覧表示選択画面において、同サイズに一覧表示された前記出力イメージ画像が選択されたとき、前記一覧表示選択画面が消去されて前記背景セット選択画面に戻り、選択された前記出力イメージ画像が最前面に表示される
請求項１に記載の写真シール作成装置。
【請求項６】
利用者を被写体として撮影し、得られた撮影画像に対して前記利用者に編集入力を行わせ、前記編集入力により編集された前記撮影画像を所定のシール紙に印刷して写真シールを作成し、成果物として前記写真シールを前記利用者に提供する写真シール作成装置の写真シール作成方法であって、
撮影により得られた前記撮影画像に合成させる、所定のテーマで統一された複数の背景画像のセットを前記利用者に選択させるための背景セット選択画面を表示手段に表示させ、
表示された前記背景セット選択画面に対する前記利用者の選択入力を受け付け、
前記背景セット選択画面では、前記セットの複数の背景画像それぞれと、前記利用者を想定したモデルによる撮影画像とを合成した複数の撮影合成画像を、前記写真シールをイメージした出力イメージ画像にして、所定の分類に属する複数の前記テーマに対応する複数の前記出力イメージ画像が、前記利用者による選択の候補として所定の図形の形状の軌道に沿って整列配置され、最前面のものの大きさが最も大きく、背面のものの大きさが小さくされるとともに、複数の前記出力イメージ画像それぞれに対応する、前記出力イメージ画像を選択するための複数の選択用画像の一覧が配置されており、
前記利用者の選択入力により所定の前記選択用画像が選択されたとき、前記軌道に沿って整列配置された複数の前記出力イメージ画像のうち、選択された前記選択用画像に対応する前記出力イメージ画像を前記最前面に移動させる
ステップを含む写真シール作成方法。
【請求項７】
利用者を被写体として撮影し、得られた撮影画像に対して前記利用者に編集入力を行わせ、前記編集入力により編集された前記撮影画像を所定のシール紙に印刷して写真シールを作成し、成果物として前記写真シールを前記利用者に提供する処理をコンピュータに実行させるためのプログラムであって、
コンピュータに、
撮影により得られた前記撮影画像に合成させる、所定のテーマで統一された複数の背景画像のセットを前記利用者に選択させるための背景セット選択画面を表示手段に表示させ、
表示された前記背景セット選択画面に対する前記利用者の選択入力を受け付け、
前記背景セット選択画面では、前記セットの複数の背景画像それぞれと、前記利用者を想定したモデルによる撮影画像とを合成した複数の撮影合成画像を、前記写真シールをイメージした出力イメージ画像にして、所定の分類に属する複数の前記テーマに対応する複数の前記出力イメージ画像が、前記利用者による選択の候補として所定の図形の形状の軌道に沿って整列配置され、最前面のものの大きさが最も大きく、背面のものの大きさが小さくされるとともに、複数の前記出力イメージ画像それぞれに対応する、前記出力イメージ画像を選択するための複数の選択用画像の一覧が配置されており、
前記利用者の選択入力により所定の前記選択用画像が選択されたとき、前記軌道に沿って整列配置された複数の前記出力イメージ画像のうち、選択された前記選択用画像に対応する前記出力イメージ画像を前記最前面に移動させる
ステップを含む処理を実行させるためのプログラム。
【発明の詳細な説明】
【技術分野】
【０００１】
本発明は、写真シール作成装置および方法、並びにプログラムに関し、特に、複数枚の撮影合成画像全体としての完成度が高く、複数枚の撮影合成画像の組み合わせを選択する際の操作性に優れ、かつ、写真シールの出力イメージがつき易い写真シール機を提供することができるようにする写真シール作成装置およびその方法、並びにプログラムに関する。
【背景技術】
【０００２】
従来、利用者（被写体）を撮影し、得られた撮影画像に予め用意されている背景画像を合成したり、文字や線画を重畳させたりする落書き編集処理を行い、シール紙に印刷し、写真シールとして利用者に提供する写真シール機が存在する。
【０００３】
この写真シール機は、例えば、ゲームセンタ等の娯楽（遊戯）施設に設置され、主に女子高校生や女子中学生等を中心とする利用者に有料でサービスを提供する。利用者は、写真シールの作成作業をゲームとして楽しむだけでなく、出力される様々なサイズの編集済み画像が印刷されている写真シールを仲間同士で切り分け合って、それぞれの所持品に貼り付けたりしている。
【０００４】
撮影画像を、どのような背景画像と組み合わせて合成するかによって、写真シールの出来栄えが大きく異なるため、利用者が好みの背景画像を選択できるよう、様々なユーザインタフェースが提案されている。
【０００５】
例えば、１枚の撮影画像に、複数の背景画像を合成した画像群を生成し、それらの出来栄えを１枚１枚対比しながら、編集画像として選択しやすい構成とした写真シール機がある（特許文献１参照）。
【０００６】
また、カメラの種類によって背景画像が表示され、その表示された背景画像のなかから所望のものを１枚ずつ選択できるようにしたものがある（特許文献２参照）。
【０００７】
さらに、人気度の高い背景画像がセットで表示されており、そのセットを選択すると、選択されたセットに含まれる複数の背景画像で撮影することができるものもある（特許文献３参照）。
【０００８】
また、ユーザが所望する背景画像と前景画像の組み合わせを自由選択させた後、被写体の動画像に合成してから撮影できるようにしたものもある（特許文献４参照）。
【先行技術文献】
【特許文献】
【０００９】
【特許文献１】特開２００７−１４２５６１号公報
【特許文献２】特開２００８−４６４９０号公報
【特許文献３】特開２００８−２７８１２３号公報
【特許文献４】特開２００９−３３７５５号公報
【発明の概要】
【発明が解決しようとする課題】
【００１０】
しかしながら、特許文献１乃至３の手法においては、１枚の撮影画像に合う背景画像を選ぶのには良く、撮影画像と背景画像を合成した撮影合成画像の１枚ずつの完成度は高くなるが、複数枚の撮影合成画像を得る場合が考慮されていないため、複数枚の撮影合成画像の統一感など、複数枚の撮影合成画像全体での完成度が必ずしも高くなるとは限らない。
【００１１】
また、特許文献３と４では、写真シールとしての全体的な出力イメージがつけられない。さらに、特許文献４では、自由度が高いが、逆に操作が複雑となり、操作性に優れていない。
【００１２】
本発明は、このような状況に鑑みてなされたものであり、複数枚の撮影合成画像全体としての完成度が高く、複数枚の撮影合成画像の組み合わせを選択する際の操作性に優れ、かつ、写真シールの出力イメージがつき易い写真シール機を提供することができるようにするものである。
【課題を解決するための手段】
【００１３】
本発明の一側面の写真シール作成装置は、利用者を被写体として撮影し、得られた撮影画像に対して前記利用者に編集入力を行わせ、前記編集入力により編集された前記撮影画像を所定のシール紙に印刷して写真シールを作成し、成果物として前記写真シールを前記利用者に提供する写真シール作成装置であって、前記利用者を被写体として撮影する撮影手段と、撮影により得られた前記撮影画像に合成させる、所定のテーマで統一された複数の背景画像のセットを前記利用者に選択させるための背景セット選択画面を表示制御する表示制御手段と、前記表示制御手段により表示制御された前記背景セット選択画面を表示する表示手段と、表示された前記背景セット選択画面に対する前記利用者の選択入力を受け付ける入力受け付け手段とを備え、前記背景セット選択画面では、前記セットの複数の背景画像それぞれと、前記利用者を想定したモデルによる撮影画像とを合成した複数の撮影合成画像を、前記写真シールをイメージした出力イメージ画像にして、所定の分類に属する複数の前記テーマに対応する複数の前記出力イメージ画像が、前記利用者による選択の候補として所定の図形の形状の軌道に沿って整列配置され、最前面のものの大きさが最も大きく、背面のものの大きさが小さくされるとともに、複数の前記出力イメージ画像それぞれに対応する、前記出力イメージ画像を選択するための複数の選択用画像の一覧が配置されており、前記表示制御手段は、前記入力受け付け手段により所定の前記選択用画像が選択されたとき、前記軌道に沿って整列配置された複数の前記出力イメージ画像のうち、選択された前記選択用画像に対応する前記出力イメージ画像を前記最前面に移動させる。
【００１４】
この写真シール作成装置の、撮影手段は、例えば、カメラにより構成され、表示制御手段は、例えば、制御部により構成され、表示手段は、例えば、モニタにより構成され、入力受け付け手段は、例えば、タッチパネルにより構成される。また、所定の図形の形状の軌道に沿って整列配置されるとは、例えば、所定の図形が円である場合には、円環の軌道に沿って複数の出力イメージ画像が配置され、所定の図形が六角形である場合には、六角形の軌道に沿って複数の出力イメージ画像が配置されることをいう。
【００１５】
本発明の写真シール作成装置においては、背景セット選択画面において、セットの複数の背景画像それぞれと、利用者を想定したモデルによる撮影画像とを合成した複数の撮影合成画像が、写真シールをイメージした出力イメージ画像にされて、所定の分類に属する複数のテーマに対応する複数の出力イメージ画像が、利用者による選択の候補として所定の図形の形状の軌道に沿って整列配置され、最前面のものの大きさが最も大きく、背面のものの大きさが小さくされるとともに、複数の出力イメージ画像それぞれに対応する、出力イメージ画像を選択するための複数の選択用画像の一覧が配置されており、入力受け付け手段により所定の選択用画像が選択されたとき、軌道に沿って整列配置された複数の出力イメージ画像のうち、選択された選択用画像に対応する出力イメージ画像が最前面に移動される。
【００１６】
これにより、複数枚の撮影合成画像全体としての完成度が高く、複数枚の撮影合成画像の組み合わせを選択する際の操作性に優れ、かつ、写真シールの出力イメージがつき易い写真シール作成装置を提供することができる。
【００１７】
前記表示制御手段には、前記入力受け付け手段により所定の前記選択用画像が選択されたとき、前記軌道に沿って整列配置されている複数の前記出力イメージ画像が、その配列順序を維持したまま軌道に沿って移動させ、前記最前面まで移動させることができる。
【００１８】
前記選択用画像は、対応する前記出力イメージ画像の大きさを変えた画像を少なくとも含むようにすることができる。
【００１９】
これにより、背景セットを検索、確認する際の操作性が向上する。
【００２０】
前記背景セット選択画面には、前記テーマを大分類に分類する分類手段を備え、前記入力受け付け手段により選択された前記大分類のテーマに属する複数の前記出力イメージ画像が前記軌道に沿って整列配置されるようにすることができる。
【００２１】
分類手段は、例えば、背景セット選択画面内の選択タブにより構成される。
【００２２】
これにより、多数のテーマのなかから、所望のテーマを選択する際の操作性が向上する。
【００２３】
前記背景セット選択画面には、前記出力イメージ画像を同サイズで一覧表示する一覧表示選択画面を表示させる一覧表示手段を備え、表示された前記一覧表示選択画面において、同サイズに一覧表示された前記出力イメージ画像が選択されたとき、前記一覧表示選択画面が消去されて前記背景セット選択画面に戻り、選択された前記出力イメージ画像が最前面に表示されるようにすることができる。
【００２４】
一覧表示手段は、例えば、背景セット選択画面の一覧表示切替ボタンにより構成される。
【００２５】
これにより、利用者が、所定の大分類テーマに属する全ての出力イメージ画像を比較しながら検討することができる。
【００２６】
本発明の一側面の写真シール作成方法は、利用者を被写体として撮影し、得られた撮影画像に対して前記利用者に編集入力を行わせ、前記編集入力により編集された前記撮影画像を所定のシール紙に印刷して写真シールを作成し、成果物として前記写真シールを前記利用者に提供する写真シール作成装置の写真シール作成方法であって、撮影により得られた前記撮影画像に合成させる、所定のテーマで統一された複数の背景画像のセットを前記利用者に選択させるための背景セット選択画面を表示手段に表示させ、表示された前記背景セット選択画面に対する前記利用者の選択入力を受け付け、前記背景セット選択画面では、前記セットの複数の背景画像それぞれと、前記利用者を想定したモデルによる撮影画像とを合成した複数の撮影合成画像を、前記写真シールをイメージした出力イメージ画像にして、所定の分類に属する複数の前記テーマに対応する複数の前記出力イメージ画像が、前記利用者による選択の候補として所定の図形の形状の軌道に沿って整列配置され、最前面のものの大きさが最も大きく、背面のものの大きさが小さくされるとともに、複数の前記出力イメージ画像それぞれに対応する、前記出力イメージ画像を選択するための複数の選択用画像の一覧が配置されており、前記利用者の選択入力により所定の前記選択用画像が選択されたとき、前記軌道に沿って整列配置された複数の前記出力イメージ画像のうち、選択された前記選択用画像に対応する前記出力イメージ画像を前記最前面に移動させるステップを含む。
【００２７】
本発明の一側面のプログラムは、利用者を被写体として撮影し、得られた撮影画像に対して前記利用者に編集入力を行わせ、前記編集入力により編集された前記撮影画像を所定のシール紙に印刷して写真シールを作成し、成果物として前記写真シールを前記利用者に提供する処理をコンピュータに実行させるためのプログラムであって、コンピュータに、撮影により得られた前記撮影画像に合成させる、所定のテーマで統一された複数の背景画像のセットを前記利用者に選択させるための背景セット選択画面を表示手段に表示させ、表示された前記背景セット選択画面に対する前記利用者の選択入力を受け付け、前記背景セット選択画面では、前記セットの複数の背景画像それぞれと、前記利用者を想定したモデルによる撮影画像とを合成した複数の撮影合成画像を、前記写真シールをイメージした出力イメージ画像にして、所定の分類に属する複数の前記テーマに対応する複数の前記出力イメージ画像が、前記利用者による選択の候補として所定の図形の形状の軌道に沿って整列配置され、最前面のものの大きさが最も大きく、背面のものの大きさが小さくされるとともに、複数の前記出力イメージ画像それぞれに対応する、前記出力イメージ画像を選択するための複数の選択用画像の一覧が配置されており、前記利用者の選択入力により所定の前記選択用画像が選択されたとき、前記軌道に沿って整列配置された複数の前記出力イメージ画像のうち、選択された前記選択用画像に対応する前記出力イメージ画像を前記最前面に移動させるステップを含む処理を実行させるためのものである。
【００２８】
本発明の写真シール作成方法およびプログラムにおいては、背景セット選択画面において、セットの複数の背景画像それぞれと、利用者を想定したモデルによる撮影画像とを合成した複数の撮影合成画像が、写真シールをイメージした出力イメージ画像にされて、所定の分類に属する複数のテーマに対応する複数の出力イメージ画像が、利用者による選択の候補として所定の図形の形状の軌道に沿って整列配置され、最前面のものの大きさが最も大きく、背面のものの大きさが小さくされるとともに、複数の出力イメージ画像それぞれに対応する、出力イメージ画像を選択するための複数の選択用画像の一覧が配置されており、入力受け付け手段により所定の選択用画像が選択されたとき、軌道に沿って整列配置された複数の出力イメージ画像のうち、選択された選択用画像に対応する出力イメージ画像が最前面に移動される。
【００２９】
これにより、複数枚の撮影合成画像全体としての完成度が高く、複数枚の撮影合成画像の組み合わせを選択する際の操作性に優れ、かつ、写真シールの出力イメージがつき易い写真シール作成装置を提供することができる。
【００３０】
このプログラムは、所定の記録媒体に記録されて、例えば、ドライブにより読み出され、写真シール作成装置にインストールされる。記録媒体は、フロッピ（登録商標）ディスクなどよりなる磁気ディスク、CD-ROM(Compact Disc Read Only Memory)、DVD-ROM(Digital Versatile Disc)などよりなる光ディスク、MD(Mini Disc)（登録商標）などよりなる光磁気ディスク、または半導体メモリなどのリムーバブルメディアにより構成される。
【発明の効果】
【００３１】
本発明の一側面によれば、複数枚の撮影合成画像全体としての完成度が高く、複数枚の撮影合成画像の組み合わせを選択する際の操作性に優れ、かつ、写真シールの出力イメージがつき易い写真シール機を提供することができる。
【図面の簡単な説明】
【００３２】
【図１】本発明を適用した写真シール作成装置の一実施の形態の例を示す斜視図である。
【図２】図１の写真シール作成装置の他の角度からの斜視図である。
【図３】図１の写真シール作成装置の設置例を示す外観図である。
【図４】利用者の空間移動を説明する図である。
【図５】前方ユニットの正面の構成例を示す図である。
【図６】編集ユニットの側面の構成例を示す図である。
【図７】編集ユニットの他の側面の構成例を示す図である。
【図８】写真シール作成装置の内部の構成例を示すブロック図である。
【図９】制御部の機能ブロック図である。
【図１０】写真シール作成ゲームの全体の流れを説明するフローチャートである。
【図１１】撮影処理の詳細を説明するフローチャートである。
【図１２】背景セット選択画面としての３Ｄ表示選択画面の例を示す図である。
【図１３】一覧表示選択画面の例を示す図である。
【図１４】３Ｄ表示選択画面のその他の例を示す図である。
【図１５】３Ｄ表示選択画面のさらにその他の例を示す図である。
【図１６】一覧表示選択画面の例を示す図である。
【図１７】拡大表示画面の例を示す図である。
【発明を実施するための形態】
【００３３】
図１は、本発明を適用した写真シール作成装置（写真シール機）の一実施の形態の例を示す図である。
【００３４】
図１の写真シール作成装置１は、撮影や編集等の作業の娯楽性を高め、それらの作業を利用者にゲーム（遊戯サービス）として行わせ、撮影画像や編集済み画像を写真シールやデータとして利用者に提供する代わりに、利用者より代金を受け取るゲーム装置（遊戯サービス提供装置）である。
【００３５】
この写真シール作成装置１が実行する写真シール作成ゲームにおいて、利用者は、ゲームの代金を投入し、写真シール作成装置１に設けられたカメラを用いて自分自身等を撮影し、その撮影画像に対して背景画像を合成したり、ペン入力やスタンプ入力等の編集機能により合成用画像を加える等の編集（落書き編集）を行い、撮影画像を彩り豊かなものにデザインする。そしてゲーム終了後、利用者は、編集済み画像が印刷された写真シール等を成果物として受け取る。
【００３６】
このような写真シール作成装置１は、通常、ゲームセンタや観光地の店舗等に設置される。つまり、写真シール作成装置１は、例えば、メーカや販売会社などから、それらの店舗の経営者に販売される。写真シール作成装置１を購入した経営者は、店舗（例えばゲームセンタ）にその写真シール作成装置１を設置して管理・運営し、女子高校生や女子中学生に代表される一般の利用者に写真シール作成ゲームを有料でプレイさせ、その代金により収益を上げる。
【００３７】
従って、店舗の経営者にとって、写真シール作成装置１の収益率の高さが重要となる。つまり、写真シール作成装置１は、単位時間当たりの収益率が高い方が望ましい。また、通常の店舗の場合、床面積や構造等の制限により、写真シール作成装置１の設置場所が限定される。従って、写真シール作成装置１は、単位床面積当たりの収益率が高い方が望ましい。さらに、各店舗の広さや形状は通常同じでなく、かつ、写真シール作成装置１とともに設置される他のゲーム機等も異なるため、設置場所の自由度が高いほど望ましい。
【００３８】
収益率を向上させる方法として、例えば、写真シール作成ゲームの回転率を向上させる方法がある。つまり、所定の時間内にプレイされるゲーム数を増加させることにより単位時間当たりの収益率を増加させる方法である。しかしながら、写真シール作成ゲームをプレイする利用者がいなければ収益率は向上しない。したがって、写真シール作成装置１の写真シール作成ゲームに対する、利用者の期待度や満足度を向上させることも重要となる。
【００３９】
例えば、写真シール作成装置１は、ゲームをプレイしたことのない利用者が「プレイしてみたい」と思うような期待度の高い機能を設けることにより利用者数を増加させることができる。また、一度プレイした利用者が「楽しかった、もう一度プレイしたい」と思うような満足度の高い機能を設けることにより、写真シール作成装置１は、いわゆるリピータを増加させ、利用者数をさらに増加させることができる。その結果、写真シール作成装置１の収益が向上する。
【００４０】
利用者にとって、写真シール作成装置１には、大きく分けて、写真シール作成ゲームをプレイすること（写真シールの作成作業）と、成果物として写真シール用画像や写真シールを得ること（完成した写真シールそのもの）の２つの娯楽性がある。
【００４１】
前者の、写真シール作成作業の娯楽性を向上させる方法としては、例えば、撮影機能や、落書き編集等の編集機能の多機能化、操作性の向上、またはプレイ時間や待ち時間の調整等がある。後者の、完成した写真シールそのものの娯楽性を向上させる方法としては、例えば、シール紙の品質向上、高画質印刷、および特殊色印刷等のようなハードウェアの向上や、写真シールの画像に対する利用者の満足度を向上させることなどがある。
【００４２】
また、主な利用者層である女子高校生や女子中学生は、得られた写真シールを所有物に貼り付けるだけでなく、その写真シールを交換したり、その写真シールを話題にして会話を行ったりする。従って、例えば、写真シールの画像内容が、派手だったり、面白かったり、希少性が高かったり、目新しさがあったりする場合、その写真シールを利用者自身が気に入ることもあるが、それだけでなく、その写真シールを話題として会話が盛り上がることも考えられる。
【００４３】
また、このような写真シールの利用により、写真シール自体が写真シール作成装置１の広告としての役割も果たすこともある。従って、写真シールの娯楽性を向上させることは、単にその利用者の満足度を向上させるだけでなく、他者の期待度を向上させ、評判の広がりによる集客、すなわち、いわゆる口コミによる新規利用者を増やすことも期待することができる。
【００４４】
つまり、写真シール作成ゲームにおいて、利用者らが気に入るような画像を作成することができる機能を提供することにより、利用者の写真シール作成ゲームに対する満足度だけでなく、写真シールに対する満足度も向上させることができ、さらに、写真シールの話題性や広告効果等も同時に向上させることができる。
【００４５】
写真シール作成装置１は、このような特徴を有するが、その筐体１０は、図１に示すように、撮影ユニット１２、編集ユニット１３、天井ストロボユニット１４、および背景カーテンユニット１５の４つのユニットに大きく分けられる。
【００４６】
撮影ユニット１２は、利用者等を被写体として撮影する機能を有しており、後述する内部の撮影空間において被写体の撮影が行われる。この撮影ユニット１２は、大きく、前方ユニット１２Ａと後方ユニット１２Ｂの２つに分けられる。
【００４７】
前方ユニット１２Ａは、撮影空間の前方とされる側のユニットであり、撮影空間の利用者の撮影に関する処理を行ったり、利用者の写真シール作成ゲームに関する操作を受け付けたりする。後方ユニット１２Ｂは、撮影空間の後方とされる側のユニットであり、前方ユニット１２Ａによる利用者の撮影の際に、背景の役割を果たすユニットである。この後方ユニット１２Ｂは、平面パネル状に構成され、その下端部が写真シール作成装置１の設置床面に当接しないよう、その上部が筺体１０に固定されている。また、前方ユニット１２Ａの側面には、外付けモニタ１６およびスピーカ１７が設けられているが、その詳細は後述する。
【００４８】
編集ユニット１３は、利用者が撮影画像に対する落書き編集等を行うための構成（例えば、モニタ、タッチパネル、およびタッチペン等）が設けられている。後述するように１つの筺体からなる編集ユニット１３は、２組の利用者が同時に編集作業を行うことができるように、２つの面のそれぞれに、落書き編集等を行うための構成が設けられている。後述するように、写真シール作成装置１は、複数の写真シール作成ゲームを並列的に実行することができる。換言すれば、複数組の利用者が、同時に写真シール作成装置１において写真シール作成ゲームをプレイすることができる。編集ユニット１３は、写真シール作成ゲームのプレイの回転率を向上させるために、それらの複数組の利用者が同時に落書き編集を行うことができるように、２つの落書き編集等を行うための構成が設けられている。
【００４９】
撮影空間の上方に設けられる天井ストロボユニット１４は、撮影タイミングに合わせて撮影空間内に向けてストロボ発光するフラッシュを内蔵する。この天井ストロボユニット１４には、さらに内部に蛍光灯が配置されており、撮影空間（撮影空間内の利用者）を常時照らす照明としても機能する。撮影空間は、後述するように簡易的に閉鎖的な空間として構成される。したがって、外部より光が進入しづらく、暗くなりがちで利用者の操作性が低下する恐れがある。そこで、天井ストロボユニット１４が、その照明により撮影空間を明るく照らすことにより、そのような恐れを回避し、操作性を向上させることができる。なお、このような照明は前方ユニット１２Ａにも設けられている。
【００５０】
また、後方ユニット１２Ｂの上部には、例えば、背景に利用する可動式のカーテン（背景カーテン）を備える背景カーテンユニット１５が設けられている。この背景カーテンユニット１５には、例えば、互いに色または柄の異なる巻き取り式のカーテンが複数吊設されている。例えば、明るい色の単色、外国の絵本のようなお洒落でかわいい柄、彩り豊かなポップで（大衆向けの）お洒落な柄等、主な利用者である女性の若者に人気の高い色や柄が複数揃えられる。
【００５１】
背景カーテンユニット１５は、前方ユニット１２Ａに設けられたカメラやストロボ等の撮影機能と連動して動作し、撮影の際に、例えば利用者に選択された色のカーテンを下ろし、その他のカーテンを巻き取る。このように動作することにより、利用者の所望のデザインや、撮影モード等に応じたデザインの背景を容易に提供することができる。これにより、写真シール作成装置１は、画像（写真シール）に対する利用者の満足度を向上させることができる。
【００５２】
なお、背景カーテンユニット１５が備えるカーテン（背景カーテン）の枚数は任意である。例えば、背景カーテンユニット１５に１枚の背景カーテンのみが吊設されるようにしてもよい。また、この場合、写真シール作成装置１が、合成用の背景画像を複数種類用意し、その中から利用者により選択された背景画像を撮影画像に合成するようにしてもよい。このようにすることにより、写真シール作成装置１に設けられる物理的な背景カーテンが１枚のみであっても、写真シール作成装置１は、利用者の多様な好みに対応することができる。
【００５３】
外付けモニタ１６は、撮影ユニット１２内の撮影空間で利用者の撮影が行われている場合には、次に撮影空間を利用しようと待機している利用者に対して、撮影中の利用者のゲームの進行状況を示す映像を出力（表示）する。また、外付けモニタ１６は、撮影ユニット１２内の撮影空間で利用者の撮影が行われていない場合には、写真シール作成ゲームの流れや遊び方等を案内（説明）するコンテンツ（デモンストレーション画面）を出力する。また、スピーカ１７は、外付けモニタ１６によって出力される映像やコンテンツに合わせた音声を出力する。
【００５４】
また、外付けモニタ１６およびスピーカ１７は、前方ユニット１２Ａの側面のいずれか一方に設けられるようになされている。すなわち、図１において図示されない前方ユニット１２Ａの側面は、図１において外付けモニタ１６およびスピーカ１７が設けられている前方ユニット１２Ａの側面に外付けモニタ１６およびスピーカ１７が設けられない場合に、外付けモニタ１６およびスピーカ１７が設置可能な構造となっている。
【００５５】
図２は、図１の写真シール作成装置１を、編集ユニット１３側より見た斜視図である。
【００５６】
編集ユニット１３は、図２に示すように、前方ユニット１２Ａの、後方ユニット１２Ｂ側の面（つまり、撮影空間側の面）と反対の面に隣接して設置される。編集ユニット１３の、前方ユニット１２Ａに直交する２つの側面には、利用者が撮影画像に対する落書き編集等を行うための第１編集インタフェース１３Ａと第２編集インタフェース１３Ｂがそれぞれ設けられている。つまり、編集ユニット１３には、写真シール作成ゲームを行う複数組の利用者が、前方ユニット１２Ａと後方ユニット１２Ｂを結ぶ方向と直交する向きに、編集ユニット１３を挟んで対向する状態で編集作業を行うことができるように、２つの編集インタフェースが設けられている。
【００５７】
また、編集ユニット１３の、撮影ユニット１２と対向する面には、写真シール作成ゲームがプレイされることにより作成された写真シールが排出されて利用者に提供される写真シール排出部１３Ｃが設けられている。
【００５８】
図３は、写真シール作成装置１の設置例を示す外観図である。
【００５９】
写真シール作成装置１がゲームセンタ等に設置される場合、例えば図３に示されるように、撮影ユニット１２や編集ユニット１３を囲むように、側面カーテン２１が設けられる。この側面カーテン２１は、撮影作業が行われる撮影空間や編集作業が行われる編集空間等を簡易的に囲み、各空間の閉鎖性を向上させている。つまり、側面カーテン２１は、例えば、各空間内の環境を安定させることにより、高画質な撮影や編集画面の見易さ等に寄与したり、各空間外からの視界を遮断し、利用者が外部からの視線を意識せずに撮影や編集等の作業を行うことができるようにしたりする。
【００６０】
この側面カーテン２１の外側の面は、通常、広告を掲載する場所として利用され、設置場所において注目度が高まるように、写真シール作成装置１の機種名や機種のイメージを表す派手なデザイン画が印刷される。
【００６１】
以上のような写真シール作成装置１は、利用者の各組に対して、それぞれ、写真シール作成ゲームをプレイさせる。写真シール作成装置１は、複数の写真シール作成ゲームを同時に進行させることができる。つまり、写真シール作成装置１は、同時に複数の組に写真シール作成ゲームをプレイさせることができる。このとき、各組の利用者は、写真シール作成装置１に設けられた複数の空間を移動しながら、写真シール作成ゲームの各作業を行い、ゲームを進行させる。
【００６２】
次に、写真シール作成ゲームの流れと、それに伴う空間の移動について、図４を参照して説明する。
【００６３】
図４は、利用者のゲーム中に、写真シール作成装置１を上から見た平面図である。図４に示すように、利用者は、外部（利用者Ａまたは利用者Ａ'）から、前方ユニット１２Ａと後方ユニット１２Ｂの間を通って、図中点線で示される、前方ユニット１２Ａと後方ユニット１２Ｂとの間に形成される、撮影作業を行う撮影空間３２に入場し、代金を投入することで写真シール作成ゲームを開始する（利用者Ｂ）。もし、前の組の利用者が撮影空間３２を使用中であれば（撮影作業中であれば）、利用者は、ユニット外部において待機する（利用者Ａまたは利用者Ａ'）。なお、図４において、利用者（利用者Ａ）は、外付けモニタ１６およびスピーカ１７によって出力される、撮影中の利用者のゲームの進行状況を示す映像や写真シール作成ゲームの流れや遊び方等を案内するコンテンツを視聴しながら待機することができる。
【００６４】
代金が投入され、写真シール作成ゲームが開始されると、利用者（利用者Ｂ）は、前方ユニット１２Ａの正面に設けられたカメラやモニタを利用して自分自身等を撮影させる撮影作業を行う。
【００６５】
撮影作業が終了すると利用者は、得られた撮影画像の中から編集対象画像として保存するものを選択し、表示された移動案内にしたがって、撮影作業を行った撮影空間３２から、図中点線で示す、編集作業を行う編集空間へと移動する。
【００６６】
編集ユニット１３の、前方ユニット１２Ａから見て左側（第１編集インタフェース１３Ａの前方）に第１編集空間３３Ａが設けられ、右側（第２編集インタフェース１３Ｂの前方）に第２編集空間３３Ｂが設けられている。つまり、この写真シール作成装置１においては、第１編集空間３３Ａの利用者（利用者Ｃ）および第２編集空間３３Ｂの利用者（利用者Ｃ'）の、合計２組の利用者が同時に編集作業を行うことができる。撮影空間３２の利用者（利用者Ｂ）は、この２つの編集空間のうち、空いている方に案内される。第１編集空間３３Ａまたは第２編集空間３３Ｂに移動すると、利用者は、落書き編集作業を行う。以下において、第１編集空間３３Ａと第２編集空間３３Ｂとを区別する必要の無い場合、編集空間３３と称する。
【００６７】
その後、落書き編集が終了すると、利用者（利用者Ｃまたは利用者Ｃ'）は、次に、印刷設定作業を行い、分割数等の設定を行う。そして印刷が開始されると、利用者は、その印刷中に携帯端末への画像の送信、アンケート入力、ミニゲーム等を行う。そして、印刷が終了すると、写真シール排出部１３Ｃ前方の印刷物受取領域３４に移動し（利用者Ｄ）、排出された写真シール紙を受け取り、写真シール作成ゲームを終了する。
【００６８】
なお、以上のような写真シール作成ゲームにおいて、撮影空間３２の利用者Ｂが、編集空間３３に移動すると、撮影空間３２が未使用になるので、写真シール作成装置１は、新たな組の利用者に撮影空間３２を使用させることができる。さらに、第１編集空間３３Ａの利用者Ｃ、または、第２編集空間３３Ｂの利用者Ｃ'が、印刷物受取領域３４に移動すると、その第１編集空間３３Ａまたは第２編集空間３３Ｂが未使用になるので、写真シール作成装置１は、新たな組の利用者（利用者Ｂ）に、その第１編集空間３３Ａまたは第２編集空間３３Ｂを使用させることができる。なお、第１編集空間３３Ａおよび第２編集空間３３Ｂがいずれも未使用である場合には、写真シール作成装置１は、利用者（利用者Ｂ）に対して、第１編集空間３３Ａおよび第２編集空間３３Ｂのいずれか一方を使用させるように案内するとともに、利用者が案内された編集空間でない方に移動した場合には、案内された編集空間に利用者を誘導させることができる。
【００６９】
つまり、写真シール作成装置１は、写真シール作成ゲームの、単位時間辺りおよび単位床面積辺りの回転率を向上させるために、撮影空間３２、第１編集空間３３Ａ、第２編集空間３３Ｂ、および印刷物受取領域３４を用いて、同時に、複数組の利用者に、写真シール作成ゲームをプレイさせることができる（多重接客を行うことができる）。
【００７０】
なお、このような筐体１０の構成は任意であり、上述した以外の構成であってもよい。同様に、多重接客の仕方も任意である。
【００７１】
次に、各ユニットの構成について説明する。
【００７２】
図５は、前方ユニット１２Ａの構成例を示す図である。図５の正面１２Ａ−１は、撮影空間３２内に面する側面であり、撮影作業を行う利用者にとって前方に位置する面である。つまり、利用者は、撮影空間３２において、基本的にこの正面１２Ａ−１に向かって（前方ユニット１２Ａ側を向いて）撮影作業を行う。
【００７３】
この正面１２Ａ−１の中央付近には、撮影空間３２内の被写体を撮影するカメラ５１が設けられており、カメラ５１の下側にタッチパネルモニタ５２が設けられている。タッチパネルモニタ５２は、例えば、カメラ５１により光電変換されてリアルタイムに（即時）取り込まれている取り込み画像に背景や前景等の画像を合成した合成画像（動画像）を表示するライブビューモニタとしての機能と、各種GUI（Graphical User Interface）画像を表示するとともに、画面上に重畳されたタッチパネルにより利用者の指示を受け付ける機能とを備えている。また、正面１２Ａ−１には、この他にも、撮影空間３２内を照明したり、カメラ５１による撮影タイミングに合わせてフラッシュ光を発光したりする照明装置５３−１乃至照明装置５３−８、撮影作業中の利用者の手荷物等を置くための荷物置き場５４−１および５４−２、並びに、写真シール作成ゲームの代金が投入される硬貨投入返却口５５が設けられている。
【００７４】
さらに、正面１２Ａ−１には、照明装置５３−１および５３−２の裏側であって、撮影空間３２の天井付近に、写真シール作成ゲームの撮影作業における案内音声、BGM（Back Ground Music）、効果音等の音声が出力される、図示せぬスピーカ１２４（図８）が設けられている。なお、スピーカ１２４の数および設置位置は任意である。
【００７５】
カメラ５１は、CCD（Charge Coupled Device）を利用した撮像素子等により構成され、写真シール作成ゲームの撮影作業の工程において、撮影空間３２内の利用者を撮像し、動画像を取り込み画像として取り込む。カメラ５１により取り込まれた取り込み画像は、一部が切り出されたり、背景等の画像が合成されたりして、タッチパネルモニタ５２に即時的に表示される。また、所定のタイミングでカメラ５１により取り込まれた取り込み画像は、そのタイミングのフレームの画像が抜き出され、撮影画像（静止画像）として保存される。
【００７６】
なお、カメラ５１として、CCDの代わりに、例えばCMOSセンサを用いたカメラを使用してもよい。もちろん、これら以外にも、利用者を撮影し、デジタル画像データを得られるものであればどのようなカメラを用いるようにしてもよい。また、カメラ５１の個数も設置位置も任意である。
【００７７】
タッチパネルモニタ５２は、例えば、CRT（Cathode Ray Tube）やLCD（Liquid Crystal Display）等のライブビューモニタ１２３（図８）と、それに積層された無色透明のタッチパネルとにより構成され、撮影作業中の利用者が撮影結果を確認しながら立ち位置や姿勢を決定することができるようにするために、カメラ５１により取り込まれた取り込み画像を即時的に（リアルタイムに）表示する。このとき、タッチパネルモニタ５２に表示される取り込み画像は、例えば、背景や前景等、利用者に指定された画像が合成されたり、その画像の画サイズ等に合わせて一部分が切り出されたり（トリミングされたり）する。また、タッチパネルモニタ５２は、撮影作業の手順を案内する案内画像等、撮影作業に関する画像を表示し、タッチパネル（例えば、感圧式や電磁誘導式等）が例えば利用者の指等によるタップ操作を受け付けるようになされている。
【００７８】
照明装置５３−１乃至照明装置５３−８は、複数の、蛍光灯およびストロボ発光可能な照明装置により構成され、撮影空間３２を明るくし、操作性や安全性を確保するために、撮影空間３２を常時照らすとともに、撮影画像の画質を向上させるために、撮影タイミングに対応するタイミングでストロボ発光し、撮影される利用者に光を多様な角度から照射する。なお、以下において、照明装置５３−１乃至照明装置５３−８を互いに区別して説明する必要の無い場合、照明装置５３と称する。また、所定の照明装置５３の表面には、ストロボ発光による撮影空間３２の明るさを調整するために、図示せぬLED（Light Emitting Diode）が設けられている。
【００７９】
荷物置き場５４−１，５４−２は、撮影時における利用者の手荷物の置き場所として利用する棚である。荷物置き場５４−１，５４−２は、撮影の邪魔にならないような位置、すなわち、利用者が撮影ポーズをとるのに邪魔にならず、かつ、照明装置５３の光の照射の妨げとならない位置に設けられている。利用者は、手荷物を荷物置き場５４−１，５４−２に置くことにより、より快適に撮影作業を行うことができる。
【００８０】
硬貨投入返却口５５は、利用者が写真シール作成ゲームの代金として硬貨を投入したり、投入に失敗した硬貨やお釣りの硬貨を返却したりするユーザインタフェースである。
【００８１】
もちろん、前方ユニット１２Ａの正面１２Ａ−１に上述した以外の構成が設けられるようにしてもよい。
【００８２】
次に、編集ユニット１３の構成について説明する。
【００８３】
図６は、編集ユニット１３の、撮影ユニット１２側から見て左側面の構成例（第１編集空間３３Ａ側の構成例）を示す図である。
【００８４】
図６において、第１編集インタフェース１３Ａの上側には、側面カーテン２１等で仕切られているために暗くなる第１編集空間３３Ａを照らすための照明装置６１が設けられている。この照明装置６１により、写真シール作成装置１は、利用者の編集作業効率の低下を抑制し、第１編集空間３３Ａの安全性を向上させることができる。なお、図６の例においては、編集ユニット１３の、照明装置６１が設けられている第１編集インタフェース１３Ａの上側の部分が、第２編集空間３３Ｂ側に貫通しており、照明装置６１は、第１編集空間３３Ａと第２編集空間３３Ｂとで共有されている。つまり、照明装置６１は、第１編集空間３３Ａだけでなく第２編集空間３３Ｂも照明し、安全性を向上させる。なお、この照明装置６１の設置位置および個数は任意である。
【００８５】
第１編集インタフェース１３Ａには、タブレット内蔵モニタ６２、２本のタッチペン６３−１およびタッチペン６３−２、スピーカ６４、並びに、追加硬貨投入返却口６５が設けられている。
【００８６】
タブレット内蔵モニタ６２は、タッチペン６３−１またはタッチペン６３−２により位置情報を入力可能な無色透明のタブレットが、CRTディスプレイやLCD等の、画像を表示可能な表示デバイスの表示画面上に重畳されることにより構成される。したがって、タブレット内蔵モニタ６２は、表示デバイスにより単にGUI画像等を表示するだけでなく、タブレットにより利用者からの入力操作を受け付ける。タブレット内蔵モニタ６２には、例えば、撮影空間における撮影作業により得られた撮影画像を編集する編集作業用のGUI画像からなる編集画面が表示される。
【００８７】
タッチペン６３−１とタッチペン６３−２は、タブレット内蔵モニタ６２の左右近傍に、左右１本ずつ所定のアタッチメントにより編集ユニット１３に着脱可能に固定されており、同じ組の２人の利用者が、これらのタッチペンをそれぞれ使用することにより、同時に、写真シール作成作業の編集作業の工程をプレイすることができるようになされている。なお、以下において、タッチペン６３−１およびタッチペン６３−２を互いに区別して説明する必要のない場合、単にタッチペン６３と称する。
【００８８】
そのタッチペン６３は、編集ユニット１３内部に設置されたシステムと有線（または無線）により電気的に接続されている。タッチペン６３は、タブレット内蔵モニタ６２のタブレットと連携して動作する。利用者がタッチペン６３を操作して、タブレットをタップする（タッチペン６３とタブレット内蔵モニタ６２の表示画面を接触（または近接）させる）ことにより、タブレットは、利用者からの入力を受け付ける入力手段として動作する。なお、タッチペン６３の設置本数、設置位置、及び形状等は任意である。
【００８９】
スピーカ６４は、例えば、案内音声、効果音、またはBGM等、写真シール作成ゲームの編集作業に関する音声を出力する。このスピーカ６４は、タブレット内蔵モニタ６２の右側に配置される。右利きの利用者は、タッチペン６３を右手で持ちながら編集作業を行うため、編集ユニット１３に寄りかかりながら編集作業を行う場合であっても、タブレット内蔵モニタ６２の右側に寄りかかる可能性は少ない。従って、タブレット内蔵モニタ６２の右側にスピーカ６４を配置することにより、右利きの利用者が編集ユニット１３に寄りかかりながら編集作業を行う場合であっても、利用者がスピーカ６４を塞ぎ、音声が聞こえなくなることを防止することができる。なお、スピーカ６４の設置個数、デザイン、および形状等は任意である。
【００９０】
追加硬貨投入返却口６５は、利用者が編集可能時間を延長させたいとき、写真シールを複数枚追加して印刷させるとき、写真シール手帳の頁を印刷させるときなどに追加代金としての硬貨を投入したり、お釣り等を返却したりするために設けられている。なお、この追加代金の支払いも硬貨に限定されるものではなく、当然、紙幣でも支払いができるようすることができる。また、実際に流通している現金（硬貨および紙幣）の代わりに、写真シール作成装置１が設置されている遊技施設などで流通されているプリペイドカード、コイン、電子マネーなどでも支払いができるようしてもよい。
【００９１】
ただし、編集可能時間の延長は、現在、撮影空間３２にて撮影作業が行われていない場合（次の利用者がいない場合）、または、もう一方の編集インタフェース（いまの場合、第２編集インタフェース１３Ｂ）が空いている場合にのみ可能であり、撮影空間３２にて撮影作業が行われており、かつ、もう一方の編集インタフェースが利用されている場合には延長できない。
【００９２】
なお、編集ユニット１３の第２編集空間３３Ｂ側の構成も、図６に示す第１編集空間３３Ａ側の構成と基本的に同様であるので、その説明については省略する。以下においては、図６に示す構成例は、編集ユニット１３の第２編集空間３３Ｂ側の構成を説明する場合にも適用される。
【００９３】
図７は、編集ユニット１３の、写真シール排出部１３Ｃの構成例を示す図である。
【００９４】
図７に示すように、写真シール排出部１３Ｃには、第１編集空間３３Ａにおいて編集作業を行った利用者が作成した写真シール（つまり、第１編集インタフェース１３Ａが操作されて作成された写真シール）と、第２編集空間３３Ｂにおいて編集作業を行った利用者が作成した写真シール（つまり、第２編集インタフェース１３Ｂが操作されて作成された写真シール）が排出される写真シール排出口７１が設けられている。
【００９５】
編集ユニット１３内部には、プリンタが設置されており、第１編集インタフェース１３Ａまたは第２編集インタフェース１３Ｂが操作されて作成された印刷用の画像は、そのプリンタによりシール紙に印刷される。プリンタより出力された写真シールは、この写真シール排出口７１より排出される。
【００９６】
また、図７に示すように、写真シール排出部１３Ｃには、スピーカ７２が設けられている。スピーカ７２は、例えば、案内音声、効果音、またはBGM等、写真シールの印刷および排出に関する音声を出力する。
【００９７】
次に、写真シール作成装置１の内部の構成例について説明する。
【００９８】
図８は、写真シール作成装置１の機能的構成例を示すブロック図である。以上において説明した部分と同じ部分については、同じ番号を付してある。
【００９９】
図８において、写真シール作成装置１は、写真シール作成装置１の装置全体を制御する処理部である制御部１０１を有しており、その制御部１０１には、記憶部１０２、通信部１０３、ドライブ１０４、ROM（Read Only Memory）１０６、RAM（Random Access Memory）１０７、撮影部１１２、編集部１１３、プリンタ１１４、スピーカ７２、外付けモニタ１６、およびスピーカ１７がそれぞれ所定のバスを介して接続される。
【０１００】
記憶部１０２は、例えばハードディスクやフラッシュメモリ等のような不揮発性の記憶媒体を有しており、制御部１０１より供給される各種設定情報をその記憶媒体に保存したり、記憶媒体に記録されている設定情報を読み出して制御部１０１に供給したりする。なお、この記憶媒体は、情報を記憶することができるものであれば、どのようなものであってもよい。
【０１０１】
通信部１０３は、例えばインターネットや公衆電話回線網等のような外部のネットワーク（図示せず）を介して、または単に通信ケーブル（図示せず）を介して、他の通信装置（図示せず）に接続され、制御部１０１に制御されて、例えば利用者の携帯型電話機などの携帯端末、利用者のパーソナルコンピュータ、または中央管理サーバ等のような他の通信装置と通信を行う。例えば、通信部１０３は、制御部１０１より通信信号として供給される送信信号を他の通信装置に送信したり、他の通信装置より供給された受信信号を通信信号として制御部１０１に供給したりする。
【０１０２】
ドライブ１０４には、磁気ディスク（フレキシブルディスクを含む）、光ディスク（CD-ROM(Compact Disc-Read Only Memory)、DVD(Digital Versatile Disc)を含む）、光磁気ディスク、および、半導体メモリなどのリムーバブルメディア１０５が適宜装着され、それらから読み出されたコンピュータプログラムやデータが、必要に応じて制御部１０１に供給され、記憶部１０２等に保存されたり、インストールされたりする。
【０１０３】
ROM１０６には、制御部１０１において実行されるプログラムやデータが予め格納されており、ROM１０６は、制御部１０１の指示に基づいて、プログラムやデータを制御部１０１に供給する。RAM１０７は、制御部１０１が処理するデータやプログラムを一時的に保持する。
【０１０４】
撮影部１１２は、撮影ユニット１２に関するブロックであり、硬貨処理部１２１、背景カーテンユニット１５、照明制御部１２２、カメラ５１、タッチパネルモニタ５２、およびスピーカ１２４を有する。
【０１０５】
硬貨処理部１２１は、制御部１０１から入力される起動信号に応じて起動し、硬貨投入返却口５５に硬貨が投入されると、利用者による写真シール作成装置１の代金支払いに関する処理（ゲーム参加受け付け等）を行い、起動信号を制御部１０１に供給する。制御部１０１は、この起動信号に応じて、課金処理や案内等をタッチパネルモニタ５２およびスピーカ１２４に行わせる。
【０１０６】
背景カーテンユニット１５は、制御部１０１より供給される背景制御信号に基づいて、提供する背景の選択、すなわち、可動式の背景カーテンの上げ下ろし（展開や収納）等を行う。なお、この背景の選択は利用者が手動で行うようにしてもよい。
【０１０７】
照明制御部１２２は、制御部１０１より供給される照明制御信号に基づいて、照明装置５３を点灯したり、消灯したりする。
【０１０８】
カメラ５１は、制御部１０１に制御されて、写真シール作成ゲームの撮影作業の工程において、撮影空間３２内の利用者等を被写体として撮影を行う。例えば、カメラ５１は、制御部１０１の制御の下、動画像を取りこみ、取り込まれた動画像データを制御部１０１に供給する。また、カメラ５１は、制御部１０１より供給されるシャッタ制御信号に基づいて、メカシャッタを動作させる等して、撮影画像（静止画像）の取得を行い、取得した静止画像データを制御部１０１に供給する。
【０１０９】
タッチパネルモニタ５２は、ライブビューモニタ１２３を備えて構成される。タッチパネルモニタ５２のライブビューモニタ１２３は、制御部１０１より供給されるRGB信号に基づく画像（カメラ５１によりリアルタイムに取り込まれている画像や、撮影画像を用いて作成された合成画像、GUI画像など）を表示する。また、タッチパネルモニタ５２は、利用者が、自分自身の指等を用いてこのタッチパネルモニタ５２にタップ（接触または近接）すると、その位置情報を制御部１０１に供給する。制御部１０１は、その位置情報を解析し、表示画像に対して利用者が入力した情報や指示を特定し、受け付ける。
【０１１０】
スピーカ１２４は、撮影ユニット１２の任意の位置に設けられ、例えば、制御部１０１より供給される音声信号の音声（撮影作業の案内音声、効果音、またはBGM等）を出力する。
【０１１１】
編集部１１３は、編集ユニット１３に関するブロックであり、第１編集インタフェース１３Ａに対応する第１編集部１１３Ａと、第２編集インタフェース１３Ｂに対応する第２編集部１１３Ｂよりなる。第１編集部１１３Ａおよび第２編集部１１３Ｂは互いに同一の構成を有しており、以下の説明は、第１編集部１１３Ａについて行うが、第２編集部１１３Ｂにも適用可能である。
【０１１２】
第１編集部１１３Ａは、図６を参照して説明したように、タブレット内蔵モニタ６２、タッチペン６３−１およびタッチペン６３−２、並びにスピーカ６４に加えて、硬貨処理部１３０を有する。
【０１１３】
タブレット内蔵モニタ６２は、上述したように、CRTディスプレイやLCD等の表示デバイスよりなる編集用モニタ１４１と、編集用モニタ１４１の表示画面上に重畳された無色透明のタブレット１４２により構成される。タブレット内蔵モニタ６２は、制御部１０１より供給されるRGB信号に対応する、編集入力用のGUIや撮像画像等、編集に関する画像を、編集用モニタ１４１に表示する。また、利用者が、タッチペン６３−１またはタッチペン６３−２を操作してタブレット１４２にタップすると、タブレット内蔵モニタ６２は、その位置情報を表す信号を入力信号として制御部１０１に供給する。制御部１０１は、その入力信号が表す位置情報を解析し、表示画像に対して利用者が入力した情報や指示を特定し、受け付ける。つまり、撮影画像に対する編集入力は、これらの構成を用いて行われる。
【０１１４】
スピーカ６４は、制御部１０１より供給される音声信号の音声（編集作業の案内音声、効果音、またはBGM等の、写真シール作成ゲームの編集作業の工程に関する音声）を出力する。
【０１１５】
硬貨処理部１３０は、制御部１０１から入力される起動信号に応じて起動し、追加硬貨投入返却口６５に硬貨が投入されると、利用者による写真シール作成装置１の代金支払いに関する処理（追加印刷の受け付け）を行い、起動信号を制御部１０１に供給する。制御部１０１は、この起動信号に応じて、印刷処理（追加印刷処理）をプリンタ１１４に行わせる。
【０１１６】
プリンタ１１４は、編集部１１３により行われた編集作業結果をシール紙に印刷する。プリンタ１１４は、制御部１０１より第１編集部１１３Ａにより行われた編集作業結果を取得すると、シール紙ユニット１６１よりシール紙１６２を取得し、編集作業結果をシール紙１６２に印刷する。プリンタ１１４は、印刷を終了すると、その印刷されたシール紙１６２を写真シールとして写真シール排出口７１より排出し、利用者に提供する。
【０１１７】
スピーカ７２は、制御部１０１より供給される音声信号の音声（写真シールのプリンタ１１４による印刷、および、写真シール排出口７１からの排出についての案内音声、効果音、またはBGM等の、写真シールの印刷および排出に関する音声）を出力する。
【０１１８】
外付けモニタ１６は、制御部１０１より、撮影ユニット１２内の撮影空間３２で利用者の撮影が行われている旨の情報を取得すると、次に撮影空間を利用しようと待機している利用者に対して、撮影中の利用者のゲームの進行状況を示す映像を出力する。また、外付けモニタ１６は、制御部１０１より、撮影ユニット１２内の撮影空間３２で利用者の撮影が行われている旨の情報を取得していない間は、写真シール作成ゲームの流れや遊び方等を案内（説明）するコンテンツ（デモンストレーション画面）を出力する。スピーカ１７は、制御部１０１の制御の下、外付けモニタ１６によって出力される映像やコンテンツに合わせた音声を出力する。
【０１１９】
次に、制御部１０１について説明する。
【０１２０】
図９は、ROM１０６などに格納されているプログラムを実行することにより実現される制御部１０１の機能ブロック図である。
【０１２１】
制御部１０１は、事前接客処理部２０１、撮影処理部２０２、編集処理部２０３、印刷処理部２０４、および、事後接客処理部２０５を有する。
【０１２２】
事前接客処理部２０１は、写真シール作成ゲームを開始する際に投入される代金に関する処理、外付けモニタ１６に表示させる撮影中の利用者のゲームの進行状況を示す映像、写真シール作成ゲームの流れや遊び方等を案内（説明）するデモンストレーション画面の制御等を行う。
【０１２３】
撮影処理部２０２は、利用者を撮影する等の写真シール作成ゲームの撮影作業の工程に関する処理を行う。編集処理部２０３は、撮影画像に対する落書き編集等の写真シール作成ゲームの編集作業の工程に関する処理を行う。
【０１２４】
印刷処理部２０４は、シール紙の印刷等の写真シール作成ゲームの印刷の工程に関する処理を行う。印刷処理部２０４が行う印刷処理には、標準代金によるシール紙の印刷の他、追加印刷が指示されたときの追加印刷処理も含まれる。事後接客処理部２０５は、編集作業を終了した利用者に対して、携帯端末への画像の送信、アンケート入力、ミニゲーム等を行わせる写真シール作成ゲームの事後接客の工程に関する処理を行う。
【０１２５】
つまり、制御部１０１は、写真シール作成ゲームの各工程に関する処理の制御を行う。
【０１２６】
次に、写真シール作成ゲームの全体の流れについて、図１０のフローチャートを参照して説明する。
【０１２７】
写真シール作成ゲームを行う利用者は、最初に、前方ユニット１２Ａの硬貨投入返却口５５にコインを投入し、ゲームの代金を支払う。硬貨処理部１２１は、このような硬貨投入を受け付け、起動信号を制御部１０１に供給する。制御部１０１の撮影処理部２０２は、ステップＳ１において、その起動信号に基づいて、代金が投入されたか否かを判定し、正当な代金が投入されたと判定した場合、処理をステップＳ２に進める。
【０１２８】
なお、写真シール作成ゲームを行う利用者がいない間、外付けモニタ１６には、写真シール作成装置１の周りの人に写真シール作成ゲームの利用を促す（興味を引くような）集客性のあるデモンストレーション画面が表示される。
【０１２９】
ステップＳ２において、撮影処理部２０２は、撮影部１１２の各部を制御し、撮影空間３２内において行われる、写真シール作成ゲームの撮影作業に関する処理である撮影処理を行う。なお、撮影処理の詳細については後述する。
【０１３０】
撮影作業が終了すると、撮影処理部２０２は、ステップＳ３において、撮影作業を終えた撮影空間３２内の利用者に対して、画像や音声によって第１編集空間３３Ａまたは第２編集空間３３Ｂへの移動を促す移動案内処理を行う。
【０１３１】
編集処理部２０３は、ステップＳ４において、編集空間３３に移動した利用者に対して、写真シール作成ゲームの編集作業に関する処理である編集処理を行う。
【０１３２】
編集作業が終了すると、印刷処理部２０４は、ステップＳ５において、プリンタ１１４を制御し、編集作業により得られた編集済み画像をシール紙１６２に印刷する印刷処理を行う。ステップＳ６において、事後接客処理部２０５は、印刷終了待機中の利用者に対して、編集済み画像を投稿するミニゲーム、携帯端末に画像を転送する携帯送信サービス、アンケート入力等を事後接客サービスとして提供する事後接客処理を行う。
【０１３３】
そして事後接客処理が終了すると、事後接客処理部２０５は、ステップＳ７において、編集空間３３の利用者を印刷物受取領域３４に移動させる移動案内処理を行う。また、印刷処理が終了すると、印刷処理部２０４は、ステップＳ８において、プリンタ１１４を制御して、印刷済みのシール紙１６２を写真シールとして写真シール排出口７１より排出し、写真シール作成ゲーム処理を終了する。
【０１３４】
次に、図１１のフローチャートを参照して、図１０のステップＳ２の撮影処理の詳細について説明する。
【０１３５】
撮影処理部２０２は、ステップＳ２１において、例えば、図１２に示すような、利用者に好きな背景セットを選択させるための背景セット選択画面を、タッチパネルモニタ５２に表示させる。図１２の背景セット選択画面の詳細については後述するが、「パステル」、「ハート」、「ピンク」、「キラキラ」などの各テーマに統一された複数（図１２では６つ）の背景画像がセットとなっている背景セットが多数表示され、利用者は、表示された多数の背景セットのなかから、好みの背景セットを選択する。
【０１３６】
ステップＳ２２では、撮影処理部２０２は、利用者によって背景セットが選択されたか否かを判定し、背景セットが選択されたと判定されるまで待機する。
【０１３７】
そして、ステップＳ２２で、背景セットが選択されたと判定された場合、処理はステップＳ２３に進み、撮影処理部２０２は、撮影回数をカウントする変数Ｘに１を代入する。ここで、撮影回数は、１つの背景セットに含まれる背景画像の数と同一である。即ち、本実施の形態における撮影回数（Ｎ）は６回である。
【０１３８】
ステップＳ２４において、撮影処理部２０２は、選択された背景セットに含まれるＮ個の背景画像のうちの第Ｘ番目の背景画像と画質（「写り」や「明るさ」などの撮影条件）を読み出す。
【０１３９】
ステップＳ２５において、撮影処理部２０２は、タッチパネルモニタ５２に、カメラ５１により取得された利用者の動画像を、ライブビュー画像として表示する。
【０１４０】
ステップＳ２６において、撮影処理部２０２は、タッチパネルモニタ５２にカウントダウンインジケータを表示させ、利用者を撮影する。いまの場合、第１回目の撮影となる。このとき、ステップＳ２４で読み出された背景画像が合成され、また、「写り」や「明るさ」に対応するパラメータ値が設定されて撮影が行われることになる。
【０１４１】
ステップＳ２７において、撮影処理部２０２は、ステップＳ２６の処理により得られた撮影画像を、タッチパネルモニタ５２に表示させ、利用者に確認させる。
【０１４２】
ステップＳ２８において、撮影処理部２０２は、所定回数の撮影が行われたか否か、即ち、変数ＸがＮと等しいか否かを判定する。
【０１４３】
ステップＳ２８で、所定回数の撮影が行われていない、即ち、変数ＸがＮ未満であると判定された場合、処理はステップＳ２９に進み、変数Ｘが１だけインクリメントされた後、処理がステップＳ２４に戻る。その後、ステップＳ２４乃至Ｓ２８の処理が再度実行されることにより、次の背景画像のための撮影が行われる。
【０１４４】
一方、ステップＳ２８で、所定回数の撮影が行われた、即ち、変数ＸがＮと等しいと判定された場合、処理はステップＳ３０に進む。
【０１４５】
なお、ステップＳ２８では、撮影時間として予め設定されている所定の時間が経過したか否かを判定するようにし、所定の時間が経過した場合、処理がステップＳ３０に進むようにしてもよい。
【０１４６】
ステップＳ３０において、撮影処理部２０２は、撮影可能時間内であるか、換言すれば、予め設定されている撮影時間に対してさらに１枚以上の撮影を行う余りの時間があるかを判定する。ステップＳ３０で、撮影可能時間内ではないと判定された場合、処理はステップＳ３２に進む。
【０１４７】
一方、ステップＳ３０で、撮影可能時間内であると判定された場合、処理はステップＳ３１に進み、撮影処理部２０２は、追加の撮影であるボーナスショットを利用者に行わせる。即ち、撮影処理部２０２は、選択された背景セットに含まれていない背景画像のなかで、選択された背景セットのテーマに合致する背景画像を用いて、上述したステップＳ２４乃至Ｓ２７の処理を実行する。なお、撮影時間の余りの時間に応じて、ボーナスショットは複数回行うようにすることができる。ボーナスショットの終了後、処理はステップＳ３２に進む。
【０１４８】
ステップＳ３２において、撮影処理部２０２は、ステップＳ２６の処理で得られたＮ個の撮影画像を、タッチパネルモニタ５２に表示させ、それらＮ個の撮影画像の中から、この後編集を行う、編集対象用画像（キープ画像）を予め設定された所定の数だけ選択させ、選択された撮影画像を記憶部１０２に記憶させる。ボーナスショットが行われた場合には、Ｎ個の撮影画像とボーナスショットによる撮影画像の中から、編集対象用画像が選択される。以上で図１０のステップＳ２の撮影処理が終了し、ステップＳ３の移動案内処理が実行される。
【０１４９】
次に、写真シール作成装置１の撮影処理において、利用者に好きな背景セットを選択させるための背景セット選択画面について詳しく説明する。
【０１５０】
［背景セット選択画面の第１の例］
図１２は、背景セット選択画面としての３Ｄ表示選択画面の例を示している。
【０１５１】
利用者は、タッチパネルモニタ５２に表示される３Ｄ表示選択画面上の所定の背景セットを選択（タップ）することにより、所望の背景セットを選択する。背景セットとは、所定のテーマで統一された背景画像の複数種類の組み合わせであり、背景画像とは、被写体として撮影された利用者の撮影画像と合成される画像であって、主に被写体の背景となる絵や模様などにより構成される画像であるが、必ずしも被写体の背景に位置するものに限らず、前に位置するような前景画像（フレーム）も含まれる。
【０１５２】
図１２の例では、大分類のテーマとして、１色の背景画像の集まりである「１色セット」、カラフルな背景画像の集まりである「カラフルセット」、デザインされた背景画像の集まりである「デザインセット」、イベントをイメージした背景画像の集まりである「イベントセット」が設定され、それぞれ、タブ２２１、タブ２２２、タブ２２３、タブ２２４に割り当てられている。例えば、利用者は、「１色セット」の大分類テーマに属するテーマの背景セットを選択したい場合には、タブ２２１を選択し、「カラフルセット」の大分類テーマに属するテーマの背景セットを選択したい場合には、タブ２２２を選択する。図１２では、タブ２２１が選択され、「１色セット」の大分類テーマが選択されている状態を示している。
【０１５３】
３Ｄ表示部２３１には、選択されたタブ２２１乃至２２４の大分類テーマに属するテーマの複数の写真シール出力イメージ画像２４１（以下、単に、出力イメージ画像２４１という。）が表示されている。
【０１５４】
このように、まず大分類にテーマを分類し、そのなかに大分類に属するテーマを複数表示することで、多数のテーマのなかから、所望のテーマを選択する際の操作性が向上する。
【０１５５】
出力イメージ画像２４１は、大分類テーマに属する所定のテーマに統一された背景画像を複数（６種類）採用し、それぞれの背景画像と、利用者（被写体）を想定したモデルによる画像とを合成した複数の撮影合成画像を、最終的に出力される写真シールに近いイメージで表示した画像である。
【０１５６】
図１２の例では、「１色セット」の大分類に属するテーマとして、「パステル」のテーマの出力イメージ画像２４１ａ、「ハート」のテーマの出力イメージ画像２４１ｂ、「ピンク」のテーマの出力イメージ画像２４１ｃ、「キラキラ」のテーマの出力イメージ画像２４１ｄ、「トリコロール」のテーマの出力イメージ画像２４１ｅ、「レインボー」のテーマの出力イメージ画像２４１ｆ、「ビビッド」のテーマの出力イメージ画像２４１ｇ、「ブラック」のテーマの出力イメージ画像２４１ｈ、「バレンタイン」のテーマの出力イメージ画像２４１ｉ、「ニコチャン」のテーマの出力イメージ画像２４１ｊ、「スター」のテーマの出力イメージ画像２４１ｋ、および「レッド」のテーマの出力イメージ画像２４１ｍがある。
【０１５７】
出力イメージ画像２４１が表示する、最終的に出力される写真シールに近いイメージとは、写真シールを模した画像上に、実際に出力される写真シールと同じ撮影合成画像（ただし、利用者に代わってモデルの撮影画像）を表示し、撮影合成画像の配置構成のみが実際に出力される写真シールとは異なるものである。即ち、利用者は、実際に出力される写真シールとは、各撮影合成画像の大きさ、配置、個数（枚数）が異なるものの、実際に出力される写真シールと同じ状態の、実際の背景画像の組み合わせと同じ撮影合成画像を確認することができる。従って、完成後の写真シールのイメージを、全体的な色合いや複数の背景画像の全体的な統一感なども含めてイメージし易くなる。このように、撮影処理部２０２は、各テーマの出力イメージ画像２４１を３Ｄ表示部２３１に表示させることで、利用者にとって、最終的に出力される写真シールのイメージをつき易くさせることができる。
【０１５８】
また、３Ｄ表示部２３１では、複数の出力イメージ画像２４１が３Ｄ表示されている。ここでいう３Ｄ表示とは、仮想の真円または楕円からなる円環の軌道に沿って複数の出力イメージ画像２４１が整列配置され、最前面のものの大きさが最も大きく、背面のものの大きさが小さく表示されていることをいう。そして、３Ｄ表示部２３１では、所定の出力イメージ画像２４１が選択されたときに、選択された出力イメージ画像２４１が、配列順序を維持したまま、軌道に沿って移動（回転）し、最前面で停止するように表示制御される。図１２では、円環は、それを少し上方の位置から見ているような表示となっている。最前面に表示される出力イメージ画像２４１は、その全体が表示されているが、それ以外の出力イメージ画像２４１は、最前面に表示されたものと重なって表示されるため、一部のみしか表示されない。なお、各出力イメージ画像２４１のテーマを表す文字は、利用者が読み取れる程度には表示されるようにするのが望ましい。
【０１５９】
最前面に移動させる出力イメージ画像２４１の選択は、３Ｄ表示部２３１の下の選択部２３２内の、各出力イメージ画像２４１に対応するジャンプキー２４２を押下することで行われる。即ち、選択部２３２には、出力イメージ画像２４１ａ乃至２４１ｍに対応するジャンプキー２４２ａ乃至２４２ｍが配置され、例えば、利用者が、出力イメージ画像２４１ａを最前面に移動させたい場合には、ジャンプキー２４２ａを押下し、出力イメージ画像２４１ｆを最前面に移動させたい場合には、ジャンプキー２４２ｆを押下する。
【０１６０】
図１２の例では、ジャンプキー２４２ａ乃至２４２ｍは、それぞれ、テーマを表す文字と、出力イメージ画像２４１ａ乃至２４１ｍの縮小画像からなるが、この表示例に限定されず、全ての出力イメージ画像２４１が選択可能なボタンが表示されていればよい。
【０１６１】
図１２の３Ｄ表示選択画面には、「好きな背景セットを選んでね」のメッセージも表示され、利用者は、選択部２３２内のジャンプキー２４２を押下することで、好みの出力イメージ画像２４１を最前面に表示させ、「ＯＫ」ボタン２３３を押下することで、所望の背景セットを選択する。
【０１６２】
ところで、利用者のなかには、やはり、大分類テーマに属する全てのテーマの出力イメージ画像２４１を同時に表示させ、比べながら背景セットを選択したいと希望する人もいると考えられる。そのような場合に対応するために、図１２の３Ｄ表示選択画面内の所定の位置に、一覧表示切替ボタン（例えば、図１５の一覧表示切替ボタン２５１のようなボタン）を設けるようにしてもよい。
【０１６３】
図１３は、図１２の３Ｄ表示選択画面内の所定の位置に一覧表示ボタンを設け、その一覧表示ボタンが押下されたときに表示される一覧表示選択画面の例を示している。
【０１６４】
図１３の一覧表示選択画面では、出力イメージ画像２４１ａ乃至２４１ｍと同じデザインの一覧用出力イメージ画像２４３ａ乃至２４３ｍが、選択されたタブ（タブ２２１乃至２２４）が示す大分類テーマに属する全てのテーマの出力イメージ画像２４１について、同サイズで整列表示されている。したがって、利用者は、所定の大分類テーマに属する全ての出力イメージ画像２４１を比較しながら検討することができる。一覧用出力イメージ画像２４３は、ジャンプキー２４２の機能も有しており、「好きな背景セットを選んでね」のメッセージに従い、利用者が、所定の一覧用出力イメージ画像２４３を選択すると、図１３の一覧表示選択画面が消去されて、図１２の３Ｄ表示選択画面に戻り、一覧表示選択画面で選択された一覧用出力イメージ画像２４３に対応する出力イメージ画像２４１が、３Ｄ表示部２３１において最前面に移動される。
【０１６５】
［背景セット選択画面の第２の例］
図１４は、背景セット選択画面としての３Ｄ表示選択画面のその他の例を示している。
【０１６６】
図１４の３Ｄ表示選択画面の上側には、図１３の一覧表示選択画面と同様の、タブ２２１乃至２２４と一覧用出力イメージ画像２４３ａ乃至２４３ｍが表示されている。ただし、図１３の一覧表示選択画面では、一覧用出力イメージ画像２４３ａ乃至２４３ｍが、縦×横が４×３で配列されていたのに対し、図１４の３Ｄ表示選択画面では、３×４で配列されている点が異なる。なお、画面（表示領域）のアスペクト比に応じて、縦と横の配列数は、この例に限らず、適宜決定することができる。
【０１６７】
図１４の３Ｄ表示選択画面の下側には、３Ｄ表示部２３１’と「ＯＫ」ボタン２３３が表示されている。３Ｄ表示部２３１’は、出力イメージ画像２４１が整列する円環を真横から（同一平面上から）見ているような３Ｄ表示となっている点のみが、３Ｄ表示部２３１と異なる。
【０１６８】
利用者が、所望の一覧用出力イメージ画像２４３を選択すると、選択された一覧用出力イメージ画像２４３に対応する出力イメージ画像２４１が、３Ｄ表示部２３１’において、最前面に移動される。
【０１６９】
なお、図１４の３Ｄ表示選択画面においても、３Ｄ表示部２３１のように、円環を上方から見たような３Ｄ表示としてもよい。３Ｄ表示部２３１および３Ｄ表示部２３１’のいずれにおいても、最前面に表示される出力イメージ画像２４１は、大きなサイズで表示されるので、利用者が見やすく出力イメージがつき易い。
【０１７０】
また、図１４の例では、３Ｄ表示部２３１’と「ＯＫ」ボタン２３３が、タブ２２１乃至２２４と一覧用出力イメージ画像２４３ａ乃至２４３ｍの下側に配置されているが、上側に配置するようにしてもよい。
【０１７１】
［背景セット選択画面の第３の例］
図１５は、背景セット選択画面としての３Ｄ表示選択画面のさらにその他の例を示している。
【０１７２】
以下では、同一の符号を付した部分についての重複する説明は適宜省略する。
【０１７３】
図１５の３Ｄ表示選択画面では、円環状に出力イメージ画像２４１を表示する３Ｄ表示と、全ての出力イメージ画像２４１を同サイズで整列表示する一覧表示の両方が切り替え可能となされている。図１５の３Ｄ表示選択画面に設けられた一覧表示切替ボタン２５１と、３Ｄ表示切替ボタン２５２は、３Ｄ表示と一覧表示を切り替えるためのボタンである。図１５は３Ｄ表示の画面であり、３Ｄ表示中は、３Ｄ表示切替ボタン２５２が選択（押下）できないように、グレー表示とされる。そして、一覧表示切替ボタン２５１が選択（押下）されると、図１６の一覧表示選択画面に表示が切り替わる。
【０１７４】
矢印ボタン２５３Ａおよび２５３Ｂは、３Ｄ表示部２３１の円環状に配置された出力イメージ画像２４１を、左方向（時計回り）または右方向（反時計回り）に１枚ずつ移動させる。従って、図１２の３Ｄ表示選択画面では、ジャンプキー２４２を押下することで、一番奥に位置している出力イメージ画像２４１が、１クリックで最前面に移動されるが、図１５の３Ｄ表示選択画面では、１枚ずつ確認しながら移動させることができる。
【０１７５】
「大きくする」のメッセージが表示されている「大きく表示」ボタン２５４は、それが押下されたとき、最前面に表示されている出力イメージ画像２４１を拡大した画像（出力イメージ画像２４１の拡大画像）を含む拡大表示画面（図１７）を表示させる。
【０１７６】
図１６は、図１５の一覧表示切替ボタン２５１が選択（押下）されたとき、タッチパネルモニタ５２に表示される一覧表示選択画面の例を示している。
【０１７７】
図１６の一覧表示選択画面には、タブ２２１乃至２２４、一覧用出力イメージ画像２６１ａ乃至２６１ｍ、一覧表示切替ボタン２５１、３Ｄ表示切替ボタン２５２、および「大きく表示」ボタン２５４が設けられている。
【０１７８】
この一覧表示選択画面の表示中には、一覧表示切替ボタン２５１が選択できないようにグレー表示とされ、３Ｄ表示切替ボタン２５２が選択可能となされている。
【０１７９】
一覧用出力イメージ画像２６１ａ乃至２６１ｍは、利用者の押下により選択され、「大きく表示」ボタン２５４が押下されたときに、選択されている一覧用出力イメージ画像２６１に対応する出力イメージ画像２４１の拡大画像を含む拡大表示画面（図１７）を表示させる。
【０１８０】
図１７は、「大きく表示」ボタン２５４が押下されたときに表示される拡大表示画面の例を示している。
【０１８１】
図１７の拡大表示画面には、出力イメージ画像２４１の拡大画像を表示する拡大表示部２７１と、そこに表示する出力イメージ画像２４１を選択する選択部２７２が設けられている。
【０１８２】
選択部２７２は、出力イメージ画像２４１ａ乃至２４１ｍに対応するジャンプキー２８１ａ乃至２８１ｍを有し、基本的には、図１２の選択部２３２と同様の機能を実行する。即ち、選択部２７２内の所定のジャンプキー２８１を押下することで、押下されたジャンプキー２８１に対応する出力イメージ画像２４１を拡大した画像が、拡大表示部２７１に表示される。
【０１８３】
利用者は、矢印ボタン２５３Ａまたは２５３Ｂを押下して、選択部２７２内のジャンプキー２８１の選択を移動させる。選択されたジャンプキー２８１に対応して、拡大表示部２７１の、出力イメージ画像２４１の拡大画像も変化する。「ＯＫ」ボタン２３３が押下された時点で、拡大表示部２７１に表示されている出力イメージ画像２４１の背景セットが選択される。
【０１８４】
「とじる」ボタン２７３が押下されると、図１７の拡大表示画面が消去され、図１５の３Ｄ表示選択画面か、または、図１６の一覧表示選択画面に戻る。換言すれば、利用者が、図１５の３Ｄ表示選択画面の「大きく表示」ボタン２５４を押下して、図１７の拡大表示画面を表示させた場合には、「とじる」ボタン２７３によって図１５の３Ｄ表示選択画面に戻り、利用者が、図１６の一覧表示選択画面の「大きく表示」ボタン２５４を押下して、図１７の拡大表示画面を表示させた場合には、「とじる」ボタン２７３によって図１６の一覧表示選択画面に戻る。
【０１８５】
図１５乃至図１７を参照して説明した３Ｄ表示選択画面の第３の例では、「大きく表示」ボタン２５４が設けられ、出力イメージ画像２４１をより拡大して見ることができるので、撮影合成画像を詳細に確認できる。
【０１８６】
また、背景セットを選択して撮影に進めるのは、即ち、「ＯＫ」ボタン２３３が設けられているのは、図１５の３Ｄ表示選択画面と図１７の拡大表示画面であり、図１６の一覧表示選択画面からは、撮影に進めないようになっている。換言すれば、撮影合成画像を詳細に確認した後でのみ、撮影に進むことができるようになされている。これにより、利用者が確認しやすく、写真シール作成後に、イメージと異なる写真シールが出来上がったと感じることを防止する。換言すれば、利用者の所望の写真シールが探しやすく、確認しやすい方法で、背景セットを選択することができる。
【０１８７】
以上のように、写真シール作成装置１が撮影処理において背景セット選択画面としてタッチパネルモニタ５２に表示する３Ｄ表示選択画面では、所定のテーマで統一感をもたせた複数の背景画像のセット（背景セット）を、円環状に複数組表示させ、利用者の操作（選択）に応じて回転表示させる。これにより、背景セットを検索、確認する際の操作性が向上する。
【０１８８】
また、３Ｄ表示選択画面に表示される出力イメージ画像２４１は、最終的に出力される写真シールに近いイメージとなっている。これにより、利用者が、最終的に出力される写真シールを簡単にイメージすることができ、利用者に、思い通りの写真シールを提供することができる。
【０１８９】
即ち、複数枚の撮影合成画像全体としての完成度が高く、複数枚の撮影合成画像の組み合わせを選択する際の操作性に優れ、かつ、写真シールの出力イメージがつき易い写真シール作成装置（写真シール機）を提供することができる。
【０１９０】
上述した背景セット選択画面の第３の例である図１５の３Ｄ表示選択画面では、矢印ボタン２５３Ａおよび２５３Ｂを選択することで、３Ｄ表示部２３１内の最前面に表示される出力イメージ画像２４１を左方向（時計回り）または右方向（反時計回り）に移動させるようにしたが、利用者がタッチパネルモニタ５２上の３Ｄ表示部２３１内を指などでタッチして左方向または右方向にずらすことで、３Ｄ表示部２３１において整列配置されている出力イメージ画像２４１を、左方向または右方向に移動（回転）させるようにしてもよい。
【０１９１】
同様に、背景セット選択画面の第１および第２の例である図１２および図１４の３Ｄ表示選択画面においても、所望の出力イメージ画像２４１に対応するジャンプキー２４２を押下する以外に、３Ｄ表示部２３１および２３１’内を指などでタッチして所定の方向にずらすことで、３Ｄ表示部２３１および２３１’内の最前面に表示される出力イメージ画像２４１を変更するようにしてもよい。
【０１９２】
また、上述した３Ｄ表示選択画面では、選択された大分類テーマに属するテーマの複数の出力イメージ画像２４１を円環状に整列配置させる例について説明したが、出力イメージ画像２４１を整列配置させるときの形状は、真円または楕円に限らず、四角形や六角形などの所定の図形の形状とすることができる。従って、例えば、六角形の軌道に沿って複数の出力イメージ画像２４１を整列配置させ、その六角形を少し上方の位置から見て、最前面にあるものの大きさが大きく、背面にあるものの大きさがそれよりも小さく表示されるような表示とすることができる。
【０１９３】
なお、一般的には、白地のシール紙１６２に、所定のテーマで統一感を持たせた複数の撮影合成画像が所定の配置構成で印刷されるので、写真シールの縁や撮影合成画像の間隙は白色となる。しかしながら、撮影合成画像が所定のテーマで統一感をもっているので、写真シールの縁や撮影合成画像の間隙の白地部分についても、選択されたテーマに合った色やデザインにして出力させるようにしてもよい。これにより、より統一感のある写真シールを提供することができる。
【０１９４】
上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。
【０１９５】
この記録媒体は、例えば、図８に示されるように、装置本体とは別に、写真シール作成装置１の管理者にプログラムを配信するために配布される、プログラムが記録されている磁気ディスク（フレキシブルディスクを含む）、光ディスク（CD-ROMおよびDVDを含む）、光磁気ディスク（MDを含む）、もしくは半導体メモリなどよりなるリムーバブルメディア１０５により構成されるだけでなく、装置本体に予め組み込まれた状態で管理者に配信される、プログラムが記録されているROM１０６や、記憶部１０２に含まれるハードディスクなどで構成される。
【０１９６】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０１９７】
以上において、印刷媒体は、シール紙や写真紙に限られるものではなく、例えば、所定のサイズの紙やフィルム、ポスター用の紙、テレホンカードなどのカード、あるいは、Ｔシャツなどの布地などに印刷するようにしてもよい。
【０１９８】
また、本明細書において、システムとは、複数の装置により構成される装置全体を表すものである。なお、以上において、１つの装置として説明した構成を分割し、複数の装置として構成するようにしてもよい。逆に、以上において複数の装置として説明した構成をまとめて１つの装置として構成されるようにしてもよい。また、各装置の構成に上述した以外の構成を付加するようにしてももちろんよい。さらに、システム全体としての構成や動作が実質的に同じであれば、ある装置の構成の一部を他の装置の構成に含めるようにしてもよい。
【符号の説明】
【０１９９】
１  写真シール作成装置
１２  撮影ユニット
１３  編集ユニット
５１  カメラ
５２  タッチパネルモニタ
１０１  制御部
１１２  撮影部
１１３  編集部
１１４  プリンタ
１２３  ライブビューモニタ
２０１  事前接客処理部
２０２  撮影処理部
２０３  編集処理部
２０４  印刷処理部
２０５  事後接客処理部
【図１】
2011234215.tif 000003
【図２】
2011234215.tif 000004
【図３】
2011234215.tif 000005
【図４】
2011234215.tif 000006
【図５】
2011234215.tif 000007
【図６】
2011234215.tif 000008
【図７】
2011234215.tif 000009
【図８】
2011234215.tif 000010
【図９】
2011234215.tif 000011
【図１０】
2011234215.tif 000012
【図１１】
2011234215.tif 000013
【図１２】
2011234215.tif 000014
【図１３】
2011234215.tif 000015
【図１４】
2011234215.tif 000016
【図１５】
2011234215.tif 000017
【図１６】
2011234215.tif 000018
【図１７】
2011234215.tif 000019